(57)【特許請求の範囲】
【請求項１】
植毛面に複数の植毛穴が設けられたヘッド部を備え、刷毛の毛束を二つ折りにし、その間に挟み込まれた平線を前記植毛穴に打ち込むことによって、前記毛束が前記植毛穴に植設されてなる歯ブラシであって、
前記ヘッド部が、ポリアセタール樹脂又はポリブチレンテレフタレート樹脂からなり、
前記ヘッド部の厚さが、２ｍｍ以上３ｍｍ未満であり、
前記平線の厚さが、０．２ｍｍより大きく０．２５ｍｍ以下であり、
前記平線の長さをｗ、前記平線の幅をｈ、前記植毛穴の直径をｄ、前記植毛穴の深さをＤとしたとき、
０．９≦（ｗ−ｄ）×ｈ×Ｄ≦２．５
の関係を満足することを特徴とする歯ブラシ。
【請求項２】
前記ヘッド部の厚さが、２ｍｍ以上２．５ｍｍ未満であり、
前記平線の長さをｗ、前記平線の幅をｈ、前記植毛穴の直径をｄ、前記植毛穴の深さをＤとしたとき、
０．９≦（ｗ−ｄ）×ｈ×Ｄ≦１．４
の関係を満足することを特徴とする請求項１に記載の歯ブラシ。
【発明の詳細な説明】
【技術分野】
【０００１】
本発明は、歯ブラシの改良に関する。
【背景技術】
【０００２】
一般に、歯ブラシは、あらかじめヘッド部に設けられた植毛穴に、ナイロンやポリブチレンテレフタレート（ＰＢＴ）の刷毛を平線で固定することにより製造されている。このヘッド部の材質としては、コスト及び成形性の面から、一般にポリプロピレン（ＰＰ）が使用されている。
【０００３】
ところで、歯ブラシで口腔内の隅々、特に奥歯の刷掃を容易にするためには、刷毛が植毛されるヘッド部の厚さが薄い方が良い。しかしながら、ポリプロピレン製のハンドルに平線を打ち込み刷毛を保持する従来の方法では、ヘッド部の厚さを薄くすることができなかった。具体的には、ヘッド部の厚さを４ｍｍ以下とすると植毛強度が不足したり、植毛の際に亀裂・白化が発生したりするなどの不良率が高くなるという問題があった。
【０００４】
このような問題を解決する方法として、ヘッド部の背面断面形状を略半円形とし、ハンドル首部の厚さが４〜６ｍｍ、ヘッド部先端の厚さを１〜３ｍｍ、ヘッド部側面の厚さを１〜３ｍｍとした歯ブラシが提案されている（特許文献１を参照）。
【０００５】
また、平線を用いず、熱融着により刷毛をヘッド部に固定した歯ブラシ（特許文献２を参照）や、インモールドによって刷毛をヘッド部に固定した歯ブラシが提案されている（特許文献３を参照）。
【０００６】
なお、ハンドル部の材質として、ポリアセタール樹脂を使用し、ヘッド部の厚さを３ｍｍまで薄くした歯ブラシが提案されている（特許文献４を参照）。
【先行技術文献】
【特許文献】
【０００７】
【特許文献１】特許第３４５３０２８号公報
【特許文献２】特開昭６１−７６１０４号公報
【特許文献３】特開昭６０−１１６３０３号公報
【特許文献４】特許第３３８７５９１号公報
【発明の概要】
【発明が解決しようとする課題】
【０００８】
しかしながら、特許文献１に記載された歯ブラシでは、十分な植毛強度及びヘッド部耐折強度を確保するために、ヘッド部の大部分の厚さを４ｍｍ以上としなければならず、口腔内操作性向上効果は得られない。
【０００９】
また、特許文献２及び特許文献３に記載された歯ブラシでは、平線による植毛方法に比べて製造工程が複雑であり、生産コストがかかるという問題があった。
【００１０】
また、特許文献４に記載された歯ブラシは、ヘッド部の厚さが３ｍｍとなっているため、口腔内操作性向上の効果は十分には得られなかった。
【００１１】
このような背景の下、従前の歯ブラシよりも口腔内操作性が向上し、かつ、十分な植毛強度及びヘッド部耐折強度を有する歯ブラシが要望されていたが、有効適切なものが提供されていないのが実情である。
【００１２】
本発明は、このような事情を考慮してなされたもので、その目的は、従前の歯ブラシよりも口腔内操作性が向上し、かつ十分な植毛強度及びヘッド部耐折強度を有する歯ブラシを提供することである。
【課題を解決するための手段】
【００１３】
そこで、本発明は、以下の構成を採用した。
本発明に係る歯ブラシは、植毛面に複数の植毛穴が設けられたヘッド部を備え、刷毛の毛束を二つ折りにし、その間に挟み込まれた平線を前記植毛穴に打ち込むことによって、前記毛束が前記植毛穴に植設されてなる歯ブラシであって、前記ヘッド部が、ポリアセタール樹脂又はポリブチレンテレフタレート樹脂からなり、前記ヘッド部の厚さが、２ｍｍ以上３ｍｍ未満であり、前記平線の厚さが、０．２ｍｍより大きく０．２５ｍｍ以下であり、前記平線の長さをｗ、前記平線の幅をｈ、前記植毛穴の直径をｄ、前記植毛穴の深さをＤとしたとき、０．９≦（ｗ−ｄ）×ｈ×Ｄ≦２．５の関係を満足することを特徴とする。
【００１４】
また、本発明に係る歯ブラシにおいては、前記ヘッド部の厚さが、２ｍｍ以上２．５ｍｍ未満であり、前記平線の長さをｗ、前記平線の幅をｈ、前記植毛穴の直径をｄ、前記植毛穴の深さをＤとしたとき、０．９≦（ｗ−ｄ）×ｈ×Ｄ≦１．４の関係を満足することが好ましい。
【発明の効果】
【００１５】
本発明に係る歯ブラシは、ヘッド部が、ポリアセタール樹脂又はポリブチレンテレフタレート樹脂によって構成されていることから、十分な植毛強度及びヘッド部耐折強度を有することができる。また、ヘッド部の厚さが、２ｍｍ以上３ｍｍ未満に構成されていることから、口腔内操作性が向上する。
【００１６】
また、本発明に係る歯ブラシは、平線の長さをｗ、平線の幅をｈ、植毛穴の直径をｄ、植毛穴の深さをＤとしたとき、０．９≦（ｗ−ｄ）×ｈ×Ｄ≦２．５の関係を満足するように構成されていることから、植毛強度及びヘッド部耐折強度がより高まる。
【図面の簡単な説明】
【００１７】
【図１】図１は、本発明の一実施形態である歯ブラシを示す側面図である。
【図２】図２は、刷毛を省略してヘッド部を拡大して示した図であり、図２（ａ）は、ヘッド部の平面図であり、図２（ｂ）は、図２（ａ）のＡ−Ａ’間断面図である。
【図３】図３は、刷毛を省略して植毛穴を拡大して示した図であり、図３（ａ）は、植毛穴の平面図であり、図３（ｂ）は、図３（ａ）のＢ−Ｂ’間断面図である。
【図４】図４は、植毛穴を拡大して示した断面図である。
【図５】図５は、刷毛を省略して植毛穴を拡大して示した平面図である。
【図６】図６は、本発明の一実施形態である歯ブラシの刷毛を省略してヘッド部を拡大して示した図であり、図６（ａ）は、実施例１〜５、８、９および比較例１〜５のヘッド部の平面図であり、図６（ｂ）は、実施例２、８及び比較例３の図６（ａ）のＥ−Ｅ’間断面図である。
【発明を実施するための形態】
【００１８】
以下、本発明の実施形態である歯ブラシについて、図面を参照して説明する。
図１に示すように、本実施形態の歯ブラシ１は、全体が長尺状に構成されており、ハンドル部２と、ハンドル部２の先端側に設けられたヘッド部３と、ハンドル部２とヘッド部３との間に設けられたネック部４と、ヘッド部３に植毛された刷毛５とから概略構成されている。
【００１９】
ハンドル部２は、使用者が把持する部分であり、硬質樹脂材料や軟質樹脂材料によって成形されている。硬質樹脂材料としては、曲げ弾性率が５００〜３０００Ｍｐａ、好ましくは１０００〜２０００Ｍｐａのポリアセタール樹脂（ＰＯＭ）や、ポリブチレンテレフタレート樹脂（ＰＢＴ）、ポリスチレン樹脂（ＰＳ）、ポリプロピレン樹脂（ＰＰ）ポリエチレンテレフタレート樹脂（ＰＥＴ）、アクリロニトリルブタジエンスチレン樹脂（ＡＢＳ）、セルロースプロピオネート樹脂（ＣＰ）、ポリアリレート樹脂、ポリカーボネート樹脂、アクリロニトリルスチレン樹脂（ＡＳ）などの材料が挙げられる。
【００２０】
軟質樹脂材料としては、硬さ（ＪＩＳＫ６２５３硬さ試験、試験条件ＪＩＳ  Ａ）が５〜１００、好ましくは２０〜６０のものが良く、ポリオレフィン系熱可塑性エラストマー、ポリスチレン系熱可塑性エラストマー、ポリウレタン系熱可塑性エラストマー、ポリエステル系熱可塑性エラストマー、１−２ポリブタジエン系熱可塑性エラストマー、エチレン酢酸ビニル系エラストマー、ポリ塩化ビニル系熱可塑性エラストマー、天然ゴム系熱可塑性エラストマー、フッ素系熱可塑性エラストマー、トランスポリイソプレン系熱可塑性エラストマーなどが挙げられる。
【００２１】
ハンドル部２は、上記素材を組み合わせて適宜使用することができるが、歯ブラシの材料として求められる物性、価格や相互の相溶性から、ポリプロピレン樹脂と、ポリオレフィン系熱可塑性エラストマー又はポリスチレン系熱可塑性エラストマーとを用いるのが好ましい。例えば、ポリオレフィン系熱可塑性エラストマーとしては、ゴム成分としてＥＰＤＭ（エチレン―ブチレン―ジエン３元共重合体）を、硬成分としてポリプロピレン樹脂を選び、これらをブレンドして一部又は全部を架橋したものが用いられる。さらには、熱可塑性エラストマーの代わりに、２液混合射出による熱硬化性シリコーン樹脂を用いても構わない。なお、このハンドル部２には、把持性を向上させるため、例えばエラストマーなどの柔軟な樹脂を部分的又は全体に被覆形成してもよい。
【００２２】
ネック部４は、ハンドル部２とヘッド部３との間を連結する部分であるが、ハンドル部２とヘッド部３は、必ずしも明確に区別される部分ではないため、場合によってハンドル部２とネック部３との区別がないものもある。したがって、ハンドル部２の先端にヘッド部３が直接設けられた形状のものであってもよく、その形状、大きさ、デザイン等については任意に変更して実施することができる。
【００２３】
ヘッド部３は、厚さｔが２ｍｍ以上３ｍｍ未満で構成されている。厚さｔが３ｍｍ以上だと、従来の歯ブラシと同様な使用感になり、高い口腔内操作性を実感できない。また、厚さｔを２ｍｍ未満とすると、後述する平線６で毛束７を保持するのに十分な植毛穴８の深さを確保することができなくなる。その結果、十分な植毛強度が確保できず、ブラッシング時に毛束が抜けてしまう恐れがある。また、ヘッド部３の耐折強度も低くなるため、歯磨の最中にヘッド部３が折損し、手指や口腔内を傷つける恐れがある。なお、ヘッド部３は、先端からネック部４にかけて同一の厚さでも良いが、ヘッド部３の背面３ａの面積の三分の二以上の厚さが、この範囲に入っていれば良く、背面３ａに凸状部を配置してネック部４に自然につながるような形態とすることもできる。
【００２４】
また、ヘッド部３は、ポリアセタール樹脂又はポリブチレンテレフタレート樹脂によって成形されている。ポリアセタール樹脂は、ホルムアルデヒド又はトリオキサンを主原料とするポリオキシメチレン構造を有する樹脂であり、ポリオキシメチレン構造のみを有するホモポリマーと、エチレンオキシド、ジオキソラン、ブタンジオールホルマールなどとのコポリマーがある。これらは、高い機械的強度、剛性、耐薬品性、耐熱性を有し、エンジニアリングプラスチックスとして広く使用されている。ヘッド部３には、ホモポリマーとコポリマーのいずれも使用することができるが、ホルムアルデヒドの発生量が少ないコポリマーが好ましい。具体的には、ポリプラスチックス社製のジュラコン、三菱エンジニアリングプラスチックス社製のユピタール、旭化成ケミカルズ社製のテナックＣなどの各製品が挙げられる。
【００２５】
ポリブチレンテレフタレート樹脂は、テレフタル酸又はテレフタル酸ジメチルエステルと、１−４ブタンジオールを原料として、重縮合反応により製造される熱可塑性ポリエステルであり、耐熱性、成形性、耐薬品性に優れていることが知られている。具体的には、ポリプラスチックス社製のジュラネックス、三菱エンジニアリングプラスチックス社製のノバデュラン、東レ社製のトレコンなど各製品が挙げられる。
【００２６】
なお、ヘッド部３は、ポリアセタール樹脂を用いて、ハンドル部２と一体に成形することができるが、ハンドル部２を構成する材料としてポリアセタール樹脂以外が用いられた場合は、ハンドル部２とヘッド部３とは、多色成型技術により一体成型することも出来る。また、ポリアセタール樹脂は相溶性が低く異質材との接着性が低いことから、嵌合やネジ止めなどによって接合することが好ましい。
【００２７】
また、図２ないし図４に示すように、ヘッド部３の一面である植毛面３ｂには、刷毛５の毛束７を植設するための複数の植毛穴８が、ヘッド部３の長さ方向と幅方向とに列をなして設けられている。なお、図２及び図３は、刷毛５を省略して図示している。
【００２８】
植毛穴８の横断面形状は、円形で、格子状や千鳥状に１０〜４０程度配列されている。
植毛穴８の横断面積に特に制限はないが、０．７５〜３．１ｍｍ２（植毛穴の直径ｄが１．０ｍｍ〜２．０ｍｍ）の範囲内にあることが好ましい。この範囲に構成することで、歯グキへの当たり心地がよくなり、歯間部など細かい隙間への毛先の挿入実感が高まる。
【００２９】
また、植毛穴８の深さＤは、ヘッド部３の厚さｔの６０〜９５％の範囲内であることが好ましく、７０〜９０％の範囲内であることがより好ましい。この範囲に構成することで、ヘッド部３の耐折強度を十分に維持することができ、また毛立ちの良い歯ブラシとなる。
【００３０】
なお、植毛穴８は、深さ方向に変化のない円柱状のものを用いてもよく、下方に行くに連れて穴径が細くなるようにテーパー部が設けられたものや、段差を設けたものや、段差とテーパー部を組み合わせたものであっても構わない。また、植毛穴８の底部に、例えば０．３ｍｍ程度の面取り加工が施されたものが好ましい。
【００３１】
また、植毛面積（毛束が配されている植毛面の外周に位置する毛束の外側を直線で結んだ面積／ＪＩＳ３０１６準拠）に対する植毛穴８の断面積の総和の割合を植毛密度としたとき、植毛密度は、２５〜５５％の範囲であることが好ましい。
この範囲に構成することで、適度な刷掃実感と歯間部などの細かい隙間への毛先の挿入実感を確保することが出来る。
【００３２】
毛束７は、図４に示すように、刷毛５を複数本束ねて二つ折りにし、その間に抜け止め具である平線６を挟んで植毛穴８に打ち込むことによって、ヘッド部の各植毛穴８に植設されている。
【００３３】
毛束７先端の刷毛５面形状（毛切り、又はプロファイル）は任意に設計して構わない。例えば、毛束７の先端を単一平面状としたり、ヘッド部３の側面から見て、直線的傾斜面又は曲線的傾斜面（好ましくは、先端側から後端側へ向けて刷毛５の長さを短くした傾斜面）としたり、ヘッド部３の側面から見て、毛束７先端の刷毛５面形状が、途中に刷毛５の長さの極大値又は極小値がある曲線形状やジグザグ形状を形成しても構わない。
【００３４】
刷毛５の材質については、特に限定されるものではなく、例えば、ポリアミド（例：６−１２ナイロン、６−１０ナイロン、１２―ナイロンなど）、ポリエステル（例：ポリエチレンテレフタレート、ポリブチレンテレフタレート、ポリトリメチレンテレフタレートなど）、ポリオレフィン（例：ポリプロピレンなど）、エラストマー（例：オレフィン系、スチレン系など）、などの合成樹脂材料や天然材質等を用いることができ、これらを組み合わせて用いても構わない。また、これらの樹脂材料を複数組み合わせて用いてもよく、例えば芯鞘構造などのように、芯部と鞘部で異なる樹脂材料を用いることもできる。
【００３５】
また、刷毛５の横断面形状は、円形であることが多いが、特にこれに限定されない。例えば、三角形、四角形、六角形、花びら状などの横断面形状の刷毛５を用いることもでき、またこれらを組み合わせた形状であっても良い。また、予め刷毛５全体の外観形状がウエーブ状、ツイスト状、ギザギザ状等に加工されたものを用いることもでき、これらを組み合わせることも可能である。
【００３６】
刷毛５の径は、３〜１５ｍｉｌ（０．０７６〜０．３８１ｍｍ）であることが好ましく、５〜１０ｍｉｌ（０．１２７〜０．２５４ｍｍ）であることがより好ましい。また、刷毛５は、毛先丸め部を除いて１本の刷毛内ではほぼ同一径の刷毛でも良いが、ヘッド部３の植毛面３ｂ付近では上記太さであっても、毛先先端へ向かうに従って、徐々に径が細くなるテーパー毛であっても構わない。この場合、隙間への毛先の侵入性が良く、ソフトなあたり心地が実現できるため、歯頚部の刷掃やマッサージには好適となる。また、通常毛とテーパー毛とを植毛穴８毎に適宜選択したり、同一毛束７内で混毛したり、自由に組み合わせることができる。
【００３７】
刷毛５の長さは、ヘッド部３の植毛面３ｂから、６〜１５ｍｍの範囲内にあることが好ましく、大人用で８ｍｍ〜１３ｍｍ、子供用で６ｍｍ〜９ｍｍの範囲内とすることがより好ましい。刷毛５の太さ（最大径）は、口腔内の使用性や使用感の点から、０．１２ｍｍ〜０．２６ｍｍであることが好ましい。また、使用感や、刷掃感、清掃効果、耐久性など考慮して、太さの異なる複数本の刷毛を任意に組み合わせて用いてもよい。
【００３８】
平線６は、図３（ａ）及び図３（ｂ）に示すように、植毛穴８の中心部を通り、且つ、植毛穴８を跨ぐように植毛穴８に打設されている。平線６の材質としては、例えば、真鍮やアルミニウムなどの金属を挙げることができ、その他にも硬質プラスチックや生分解性プラスチッなどを挙げることができる。
【００３９】
平線６は、その長さｗが植毛穴８の直径ｄよりも大であり、その幅ｈが植毛穴８の深さＤよりも小である。具体的には、平線６の長さｗは、直径ｄ+０．１〜直径ｄ+０．８ｍｍの範囲内にあることが好ましく、直径ｄ+０．３〜直径ｄ+０．６ｍｍの範囲内にあることがより好ましい。直径ｄ+０．８ｍｍより長いと、植毛部が割れ易くなるという不都合があり、直径ｄ+０．１ｍｍより短いと、十分な植毛強度が得られないという不都合があり好ましくない。
平線６の幅ｈは、０．９〜２．０ｍｍの範囲内にあることが好ましい。０．９ｍｍより短いと十分な打ち込み強度を確保することができず、植毛適正を確保できないという不都合があり、好ましくない。なお、平線６の厚みｌについても、同様な理由から、０．２〜０．２５ｍｍの範囲内にあることが好ましい。
【００４０】
また、平線６の打ち込み角度は、自由に選択できるが、亀裂や白化の発生を避けるために歯ブラシの長軸方向Ｃに対して打ち込み角度αが、５〜８０°、好ましくは１５〜３０°の範囲内にあることが好ましい。平線６の打ち込み角度αは、すべての植毛穴６で同一である必要はなく、異なる打ち込み角度を組み合わせてもよい。
また、平線６の縦断面形状も長方形だけでなく、溝や細かい凹凸をつけて植毛穴６から抜けにくくしたり、打ち込む際の切断面形状を工夫して抜けにくくしたりしても構わない。
【００４１】
また、歯ブラシ１は、平線６の長さｗ、平線６の幅ｈ、植毛穴８の直径ｄ、植毛穴８の深さＤについて、（ｗ−ｄ）×ｈ×Ｄの値が、０．９以上２．５以下になるように構成されている。この値が０．９未満の場合は、十分な植毛強度を確保することができず、使用中に毛束が抜け落ち易くなるという不都合があり、２．５を超える場合は、ヘッド部３の亀裂・白化や反りが発生することとなり好ましくない。
【００４２】
以上のような構造を有する歯ブラシ１は、ヘッド部３の厚さｔが２ｍｍ以上３ｍｍ未満の範囲内であることから、従来の歯ブラシのヘッド部よりも薄いので、口腔内操作性が向上する。また、ヘッド部３が、ポリアセタール樹脂又はポリブチレンテレフタレート樹脂によって構成されていることとから、十分な植毛強度及びヘッド部耐折強度を有することができる。また、平線６による植毛方法を採用しているので、製造工程を単純化することができ、コストを抑制することができる。
【００４３】
また、歯ブラシ１は、平線の長さをｗ、平線の幅をｈ、植毛穴の直径をｄ、植毛穴の深さをＤとしたとき、０．９≦（ｗ−ｄ）×ｈ×Ｄ≦２．５の関係を満足するように構成されている。これにより、使用中にも刷毛５が抜けることがなくなり、ヘッド部３の亀裂・白化や反りが発生するのを防ぐことができ、植毛強度及びヘッド部３の耐折強度がより高まる。
【００４４】
以上、本発明を実施形態に基づき説明したが、本発明は、上記実施形態に限定されるものではなく、その要旨を逸脱しない範囲で種々変更可能であることは言うまでもない。
例えば、本実施形態では、植毛穴８の断面形状を円形として説明したが、三角形や四角形などの多角形や直線や曲線を組み合わせた不定形としても構わない。円形以外の形状を採用した場合は、図５に示すように、植毛穴８の直径ｄに相当する値として植毛穴８の縁にかかる平線６の最長の長さｄ１を用いる。
【実施例】
【００４５】
以下、実施例により本発明の効果をより明らかなものとする。なお、本発明は、以下の実施例に限定されるものではなく、その要旨を変更しない範囲で適宜変更して実施することができる。
【００４６】
実施例１〜３及び比較例１〜２として、図６（ａ）に示されるような歯ブラシを、ヘッド部の厚さをそれぞれ変えて実際に作製した。なお、図６中の数字は、単位がｍｍである。
【００４７】
そして、この歯ブラシに対して、口腔内操作性について実験を実施し、表１に示すような評価が得られた。
なお、各歯ブラシのヘッド部の厚さｔ、植毛穴の深さＤ、植毛穴の直径ｄ、平線の幅ｈ、平線の長さｗ、（ｗ−ｄ）×ｈ×Ｄの値、平線の打ち込み角度α、ヘッド部を構成する樹脂の材質、刷毛の径及び材質、植毛本数、刷毛の長さ、毛切り形状については、表１に示す内容で作製した。
【００４８】
＜評価方法＞
なお、実験は、１０名の被験者に口腔内を実際に清掃してもらう方法で行い、被験者の官能で評価した。具体的には、口腔内操作性が、「非常に良い」場合には３点、「やや良い」場合には２点、「現在使用している歯ブラシと同様」の場合には１点として評価した。
＜判定基準＞
以上により得られた点数の平均点が２．０点以上の場合には、「○」と判定し、１．５点以上２．０点未満の場合には「△」と判定し、１．５点未満の場合には「×」と判定する３段階によって判定した。
【００４９】
【表１】
0005427486.tif 000002
【００５０】
表１に示すように、ヘッド部の厚さが３ｍｍ未満であると、口腔内操作性が良いことが認められる。
【００５１】
次に、実施例１〜９及び比較例３〜５として、ヘッド部の厚さｔ、植毛穴の深さＤ、植毛穴の直径ｄ、平線の幅ｈ、平線の長さｗ、（ｗ−ｄ）×ｈ×Ｄの値、ヘッド部を構成する樹脂の材質、刷毛の径及び材質、植毛本数、刷毛の長さ、毛切り形状を、表２に示す内容にして実際に作製した。
このようにして得られた歯ブラシに対して、植毛強度、ヘッド部耐折強度、外観、総合評価を評価した結果を表２に示す。
【００５２】
＜評価方法＞
「植毛強度」については、１穴中の全刷毛を専用器具によってつかみ、島津製作所製オートグラフを用いて植毛穴から毛束が抜けるまでの最大引張応力（Ｎ）を測定（引張速度２０ｍｍ／ｍｉｎ）（ｎ＝２０）し、その値に応じて評価した。具体的には、平均値が２０Ｎ以上の場合は「○」、１０Ｎ以上２０Ｎ未満の場合は「△」、１０Ｎ未満の場合は「×」として評価した。
「ヘッド部耐折強度」については、歯ブラシの刷毛の植毛穴から出ている部分を切断し、ヘッド部の植毛面側を平滑にし、東洋精機製作所製デジタル衝撃試験機（ＤＧ−１型）に固定。植毛面側からハンマーにより衝撃を与え、ヘッド部が破断したときの吸収エネルギー（Ｊ）を測定（ｎ＝１０）し、その値に応じて評価した。具体的には、最小値が１．５Ｊ以上の場合は「○」、０．５Ｊ以上１．５Ｎ未満の場合は「△」、０．５Ｊ未満の場合は「×」として評価した。
「外観」については、実際に作製した歯ブラシの亀裂・白化の発生について目視にて確認し（ｎ＝５０）、評価した。具体的には、亀裂・白化の発生率が０％の場合は「○」、２０％未満の場合は「△」、２０％以上の場合は「×」として評価した。
なお、「植毛強度」、「ヘッド部耐折強度」、「外観」の評価のうち悪い方の評価を、「総合評価」とした。
【００５３】
【表２】
0005427486.tif 000003
【００５４】
表２に示すように、（ｗ−ｄ）×ｈ×Ｄの値が、０．９以上２．５以下であると、植毛強度及びヘッド部耐折強度が高いことが分かる。また、ヘッド部の材質が、ポリアセタール樹脂（ＰＯＭ）又はポリブチレンテレフタレート樹脂（ＰＢＴ）であると、植毛強度及びヘッド部耐折強度が高いことが分かる。
【符号の説明】
【００５５】
１・・・歯ブラシ、２・・・ハンドル部、３・・・ヘッド部、３ａ・・・ヘッド部の背面、３ｂ・・・ヘッド部の植毛面、４・・・ネック部、５・・・刷毛、６・・・平線、７・・・毛束、８・・・植毛穴、ｔ・・・ヘッド部の厚さ、ｗ・・・平線の長さ、ｈ・・・平線の幅、ｄ・・・植毛穴の直径、Ｄ・・・植毛穴の深さ
【図１】
0005427486.tif 000004
【図２】
0005427486.tif 000005
【図３】
0005427486.tif 000006
【図４】
0005427486.tif 000007
【図５】
0005427486.tif 000008
【図６】
0005427486.tif 000009